(57)【要約】【課題】ディジタル式複写機とレーザプリンタの機能を備えた複合型画像形成装置において、記録紙詰まりやトナー交換の際、排紙トレイによる開閉カバーの開動作を妨げなくする。【解決手段】排紙トレイ８を、固定トレイ部８ａと、固定トレイ部８ａに支持され前方に引き出し及び収納自在に設けられた引き出しトレイ部８ｂで構成する。引き出しトレイ部８ｂは、引き出された状態において回動自在であり、開閉カバー４を上方に開く際、開閉カバー４と引き出しトレイ部８ｂが干渉し、開閉カバー４の回転に伴って引き出しトレイ部８ｂも同方向に回転する。その結果、事前に引き出しトレイ部８ｂをプリンタ筐体部２１内に収納することなく、開閉カバー４の開動作を可能にし、筐体内部へのアクセスを容易にすることができる。【選択図】図４
2008133112.tif 000002
【特許請求の範囲】
【請求項１】
プリンタ筐体部と、前記プリンタ筐体部の上部に設けられ、前記プリンタ筐体に対して回転可能に支持されたスキャナ筐体部とを有する筐体と、
前記プリンタ筐体部の前面側下部に設けられ、記録紙が載置される給紙トレイと、
前記給紙トレイ上に載置された記録紙のうち最上のものを一枚ずつピックアップして、前記プリンタ筐体部の内部に設けられた所定の経路に沿って搬送する記録紙搬送機構と、
前記記録紙搬送機構により搬送される記録紙上に、電子写真方式により画像を形成する画像形成機構と、
前記プリンタ筐体部の前面側上部に設けられ、画像が形成された記録紙が排出される排紙トレイを備えたプリンタ部と、
前記スキャナ筐体部の上面に設けられ、透光性を有する材料で形成された原稿台と、
前記原稿台上に載置された原稿を読み取り、画像データに変換して出力する画像読み取り手段を備えたスキャナ部と
を備えた複合型画像形成装置において、
前記プリンタ筐体部の前面で、且つ前記給紙トレイの上方には、高さ方向の上側を回転軸とし、上方に旋回しながら開く開閉カバーが設けられており、
前記排紙トレイは、前記スキャナ筐体の上面の一部を成す固定トレイ部と、前記スキャナ筐体の内部に収納可能であり、前記スキャナ筐体の内部から引き出された状態で、前記固定トレイ部の前方に位置する引き出しトレイ部とで構成され、
前記引き出しトレイ部は、その後端側両側部から外向きに突出するように形成された円柱状突起と、引き出し方向に沿ってその両側部に外向きに突出するように形成された矩形状リブを有し、
前記プリンタ筐体部の前記固定トレイ部の下方には、前記円柱状突起と係合し、その両端部が半円状に塞がれた第１のガイド溝と、前記第１のガイド溝と平行で、前側端部が開放された前記矩形状リブと係合する第２のガイド溝が形成され、
前記プリンタ筐体部の前面側上端部は、前記第２のガイド溝の延長線上に位置し、前記引き出しトレイ部が引き出された状態で、前記矩形状リブの底面と当接して、前記引き出しトレイ部の上面が前記固定トレイ部の上面とほぼ同面となるように引き出しトレイ部を保持し、
前記開閉カバーを上方に開いたときに、前記開閉カバーと前記排紙トレイの引き出しトレイ部が干渉したとしても、前記開閉カバーの回転に伴って、前記引き出しトレイ部が前記円柱状突起を回転軸として上方に回転し、それにより事前に前記排紙トレイの引き出しトレイ部を前記プリンタ筐体部に収納することなく、前記開閉カバーの開口面積を一定以上に確保し、記録紙詰まりやトナー交換の際に前記プリンタ筐体部の内部へのアクセスを容易にしたことを特徴とする複合型画像形成装置。
【請求項２】
プリンタ部を収容するプリンタ筐体部と、前記プリンタ筐体部の上部に設けられ、前記プリンタ筐体に対して回転可能に支持され、スキャナ部を収容するスキャナ筐体部とを有する筐体と、
前記プリンタ筐体部の前面側下部に設けられ、記録紙が載置される給紙トレイと、
前記プリンタ筐体部の前面側上部に設けられ、画像が形成された記録紙が排出される排紙トレイと、
前記プリンタ筐体部の前面で、且つ前記給紙トレイの上方に設けられ、高さ方向の上側を回転軸とし、上方に旋回しながら開く開閉カバーと
を備えた複合型画像形成装置において、
前記排紙トレイは、前記スキャナ筐体の上面の一部を成す固定トレイ部と、前記スキャナ筐体の内部に収納可能であり、前記スキャナ筐体の内部から引き出された状態で、前記固定トレイ部の前方に位置する引き出しトレイ部とで構成され、
前記開閉カバーを上方に開いたときに、前記開閉カバーと前記排紙トレイの引き出しトレイ部が干渉したとしても、前記開閉カバーの回転に伴って、前記引き出しトレイ部が前記円柱状突起を回転軸として上方に回転し、それにより事前に前記排紙トレイの引き出しトレイ部を前記プリンタ筐体部に収納することなく、記録紙詰まりやトナー交換の際に前記プリンタ筐体部の内部へのアクセスを容易にしたことを特徴とする複合型画像形成装置。
【請求項３】
前記プリンタ部は、電子写真方式により記録紙上に画像を形成するレーザプリンタであることを特徴とする請求項２に記載の複合型画像形成装置。
【発明の詳細な説明】
【技術分野】
【０００１】
本発明は、ディジタル式複写機と電子写真方式により記録紙に画像を形成するレーザプリンタの機能を備えた複合型画像形成装置、特にその排紙トレイに関する。
【背景技術】
【０００２】
一般的に、ディジタル式複写機と電子写真方式により記録紙に画像を形成するレーザプリンタの機能を備えた、いわゆる複合型の画像形成装置では、その筐体が、プリンタ機構を収容するプリンタ筐体部と、スキャナ機構を収容するスキャナ筐体部に分割されている。また、スキャナ筐体部は、プリンタ筐体部の上部に設けられ、プリンタ筐体に対して回転可能に支持されている。一方、電子写真方式によるレーザプリンタでは、放熱などの問題から、記録紙が装填される給紙トレイがプリンタ筐体部の側底部に設けられ、画像が形成された記録紙は排出される排紙トレイは、プリンタ筐体部に上面側に設けられている。さらに、記録紙詰まりやトナー交換等の際に筐体内部にアクセスできるように、プリンタ筐体部の前面には開閉カバーが設けられている。
【０００３】
ところで、画像形成装置の小型化により、筐体の高さ及び奥行き寸法は、それぞれ従来のものにくらべて、よりも小さくすることが求められている。そのため、給紙トレイ及び排紙トレイは、プリンタ筐体部に対して着脱式又は引き出し式に構成され、使用時にはプリンタ筐体部から前方側に突出する。一方で、記録紙詰まりやトナー交換等の際の筐体内部へのアクセスを容易にするために、開閉カバーの開口面積をあまり小さくすることはできない。そのような状況下で、開閉カバーの回転軸を高さ方向の下側に配置し、下向きに開くように構成すると、開閉カバーが給紙トレイに干渉する。逆に、開閉カバーの回転軸を高さ方向の上側に配置し、開閉カバーを上向きに開くように構成すると、開閉カバーが排紙トレイと干渉する。そのため、記録紙詰まりやトナー交換等の際に開閉カバーを開くために、給紙トレイ又は排紙トレイを取り外し又は収納しなければならないとすると、作業が非常に煩雑になり、作業性が低下すると共に、商品としての価値が低下する。
【０００４】
特許文献１は、排紙トレイの一部分（引き出し部）が筐体から引き出し可能であり、且つ引き出し部が回転可能である画像形成装置を開示している。この装置は、設置スペースが狭い場合に、排紙トレイの引き出し部を最大でほぼ垂直になるように所定の角度だけ回転させ、排紙トレイを途中で折り曲げた状態にして、排出された記録紙を円弧状に曲げた状態で保持する。そのため、排紙トレイの引き出し部と固定部とをリンクさせると共に、記録紙をスムーズに円弧状に曲げるために、引き出し部と固定部の間に円弧状の中間ガイドが設けられている。また、排紙トレイの引き出し部を固定部に対して所定の角度を保った状態で維持するためのフリクション機構を必要とする。そのため、排紙トレイの構造が複雑で、製造コストが高くなると共に、引き出し部を回転させるために、ある程度大きな力を必要とする。
【０００５】
特許文献２は、給紙トレイの一部分（回転部）が筐体に対して回転可能に設けられ、さらに給紙トレイの残りの部分（引き出し部）が回転部から引き出し可能な画像形成装置を開示している。さらに、この装置では、回転部を回転させて開閉させると、それに伴って引き出し部が回転部に対して自動的に引き出し又は収納されるように構成されている。そのため、給紙トレイの回転部の構造が複雑であり、製造コストが高くなるという問題点を有している。
【特許文献１】特開平９−１９４１０７
【特許文献２】特開２００２−３４７９９６
【発明の開示】
【発明が解決しようとする課題】
【０００６】
本発明は、上記問題点を解決するためになされたものであり、スキャナ部をできるだけ下方に配置することができ、開閉カバーの開動作を妨げなくすることができ、引き出しトレイ部をスムーズに引き出し及び収納することができる排紙トレイを備えた画像形成装置を提供することを目的とする。
【課題を解決するための手段】
【０００７】
上記目的達成するために請求項１の発明は、プリンタ筐体部と、前記プリンタ筐体部の上部に設けられ、前記プリンタ筐体に対して回転可能に支持されたスキャナ筐体部とを有する筐体と、前記プリンタ筐体部の前面側下部に設けられ、記録紙が載置される給紙トレイと、前記給紙トレイ上に載置された記録紙のうち最上のものを一枚ずつピックアップして、前記プリンタ筐体部の内部に設けられた所定の経路に沿って搬送する記録紙搬送機構と、前記記録紙搬送機構により搬送される記録紙上に、電子写真方式により画像を形成する画像形成機構と、前記プリンタ筐体部の前面側上部に設けられ、画像が形成された記録紙が排出される排紙トレイを備えたプリンタ部と、前記スキャナ筐体部の上面に設けられ、透光性を有する材料で形成された原稿台と、前記原稿台上に載置された原稿を読み取り、画像データに変換して出力する画像読み取り手段を備えたスキャナ部とを備えた複合型画像形成装置において、前記プリンタ筐体部の前面で、且つ前記給紙トレイの上方には、高さ方向の上側を回転軸とし、上方に旋回しながら開く開閉カバーが設けられており、
前記排紙トレイは、前記スキャナ筐体の上面の一部を成す固定トレイ部と、前記スキャナ筐体の内部に収納可能であり、前記スキャナ筐体の内部から引き出された状態で、前記固定トレイ部の前方に位置する引き出しトレイ部とで構成され、前記引き出しトレイ部は、その後端側両側部から外向きに突出するように形成された円柱状突起と、引き出し方向に沿ってその両側部に外向きに突出するように形成された矩形状リブを有し、前記プリンタ筐体部の前記固定トレイ部の下方には、前記円柱状突起と係合し、その両端部が半円状に塞がれた第１のガイド溝と、前記第１のガイド溝と平行で、前側端部が開放された前記矩形状リブと係合する第２のガイド溝が形成され、前記プリンタ筐体部の前面側上端部は、前記第２のガイド溝の延長線上に位置し、前記引き出しトレイ部が引き出された状態で、前記矩形状リブの底面と当接して、前記引き出しトレイ部の上面が前記固定トレイ部の上面とほぼ同面となるように引き出しトレイ部を保持し、前記開閉カバーを上方に開いたときに、前記開閉カバーと前記排紙トレイの引き出しトレイ部が干渉したとしても、前記開閉カバーの回転に伴って、前記引き出しトレイ部が前記円柱状突起を回転軸として上方に回転し、それにより事前に前記排紙トレイの引き出しトレイ部を前記プリンタ筐体部に収納することなく、前記開閉カバーの開口面積を一定以上に確保し、記録紙詰まりやトナー交換の際に前記プリンタ筐体部の内部へのアクセスを容易にしたものである。
【０００８】
請求項２の発明は、プリンタ部を収容するプリンタ筐体部と、前記プリンタ筐体部の上部に設けられ、前記プリンタ筐体に対して回転可能に支持され、スキャナ部を収容するスキャナ筐体部とを有する筐体と、前記プリンタ筐体部の前面側下部に設けられ、記録紙が載置される給紙トレイと、前記プリンタ筐体部の前面側上部に設けられ、画像が形成された記録紙が排出される排紙トレイと、前記プリンタ筐体部の前面で、且つ前記給紙トレイの上方に設けられ、高さ方向の上側を回転軸とし、上方に旋回しながら開く開閉カバーと
を備えた複合型画像形成装置において、前記排紙トレイは、前記スキャナ筐体の上面の一部を成す固定トレイ部と、前記スキャナ筐体の内部に収納可能であり、前記スキャナ筐体の内部から引き出された状態で、前記固定トレイ部の前方に位置する引き出しトレイ部とで構成され、前記開閉カバーを上方に開いたときに、前記開閉カバーと前記排紙トレイの引き出しトレイ部が干渉したとしても、前記開閉カバーの回転に伴って、前記引き出しトレイ部が前記円柱状突起を回転軸として上方に回転し、それにより事前に前記排紙トレイの引き出しトレイ部を前記プリンタ筐体部に収納することなく、記録紙詰まりやトナー交換の際に前記プリンタ筐体部の内部へのアクセスを容易にしたものである。
【０００９】
請求項３の発明は、請求項２の発明において、前記プリンタ部は、電子写真方式により記録紙上に画像を形成するレーザプリンタであるものである。
【発明の効果】
【００１０】
本発明によれば、固定トレイ部に支持される引き出しトレイ部は、固定トレイ部前方に引き出し及び収納自在に設けられているので、排紙トレイの上方において収納及び引き出し動作に伴う十分なスペースの確保が不要であり、スキャナ部をできるだけ下方に配置することができ、画像形成装置の高さを低くすることができる。
また、引き出しトレイ部は、引き出された状態において上方に回動自在とされているので、開閉カバーを上方に開ける際に、開閉カバーが引き出しトレイ部に干渉したとしても、開閉カバーの回転に伴って引き出しトレイ部も同方向に回転する。そのため、事前に引き出しトレイ部に載置された記録紙を取り除き、引き出しトレイ部を収納する必要がなく、開閉カバーの開動作を行うことができる。
さらに、引き出しトレイ部が収納及び引き出されるのに際し、円柱状突起及び矩形状リブが第１のガイド溝及び第２のガイド溝それぞれに保持されて、第１のガイド溝及び第２のガイド溝に沿って摺動するので、１箇所のガイド溝に保持されてそれに沿って摺動する場合に比べて、ガタによって収納及び引き出し動作に不具合が生じる場合がなく、スムーズな動作を確保することができる。
【発明を実施するための最良の形態】
【００１１】
以下、本発明の一実施形態について図面を参照して説明する。図１及び図２は、本実施形態に係る画像形成装置を示す。この画像形成装置１は、ディジタル式複写機と電子写真方式により記録紙９に画像を形成するレーザプリンタの機能を備えたいわゆる複合機である。画像形成装置１は、筐体２と、筐体２の前面側に取り付けられ、記録紙９が装填される給紙トレイ３と、筐体２の前面側に軸支されて、上方に開閉自在な開閉カバー４と、給紙トレイ３に装填された記録紙９を筐体２内部に搬送する記録紙搬送機構５と、筐体２内部に配置され、記録紙搬送機構５により搬送された記録紙９に画像を形成する画像形成部６と、画像形成部６の上方に配置され、原稿１０を画像データとして読み取るためのスキャナ部７と、筐体２の、記録紙搬送機構５及び画像形成部６を収容するプリンタ筐体部２１の上部に設けられた排紙口２３の下方に配置され、排紙口２３から筐体２前方に排出される記録紙９を受け止める排紙トレイ８と、を備えている。筐体２は、上記プリンタ筐体部２１と、プリンタ筐体部２１の上部に設けられ、プリンタ筐体部２１に対して回転可能に支持され、スキャナ部７を収容するスキャナ部２２で構成されている。なお、この装置にモデム等の通信機能が備えられれば、ファクシミリとしても使用可能である。
【００１２】
給紙トレイ３は、プリンタ筐体部２１の前面側の下部に軸支されて下方に開閉自在とされ、略水平まで開いた状態で記録紙９が載置される。給紙トレイ３の給紙方向の下流側には、記録紙搬送機構５より記録紙９が筐体２内部に搬送される際に、記録紙９の先端部を持ち上げるように傾斜する傾斜台３１が取り付けられる。なお、給紙トレイ３はこのような開閉自在とされているものに限られるものではなく、例えばプリンタ筐体部２１の前面側に支持され、筐体２の前方に引き出し及び収納自在とされているものや、着脱式のものであってもよい。
【００１３】
開閉カバー４は、プリンタ筐体部２１の前面側の給紙トレイ３が軸支される位置よりも上方の位置で軸支され、例えば記録紙詰まりやトナー交換等の際にプリンタ筐体部２１内にアクセスできるよう設けられたものであり、上方に最大限開いた状態で静止することができる機構を有する。
【００１４】
記録紙搬送機構５は、傾斜台３１の上方に配置されているピックアップローラ５１と、筐体２内部で記録紙９を搬送する搬送ローラ５２と、これらのローラを駆動するモーター（図示せず）等で構成されている。ピックアップローラ５１は、給紙トレイ３に載置された記録紙９のうち最も上方のものに当接して回動することにより、その記録紙９を筐体２後方の記録紙ガイド５３に沿って筐体２内部に向け給紙する。そして、給紙された記録紙９は，搬送ローラ５２に画像形成部６に搬送され、画像形成部６より画像が形成された後、排紙トレイ８上に排出される。
【００１５】
画像形成部６は、表面に感光体層が形成された感光体ドラム６１と、感光体ドラム６１の表面を均一に帯電させる帯電器６２と、感光体ドラム６１の表面にレーザ光を走査させながら照射して潜像を形成する露光装置６３と、感光体ドラム６１の表面のうち潜像が形成された部分にトナーを付着させてトナー像を形成する現像装置６４と、感光体ドラム６１の回転方向の現像装置６４よりも下流側の所定の転写位置において、感光体ドラム６１の表面に対向するように設けられ、感光体ドラム６１の表面に形成されたトナー像を記録紙９上に転写させる転写ローラ６５と、感光体ドラム６１上に残ったトナーを除去するためのクリーナ６６と、転写位置よりも記録紙９の搬送方向下流側に配置された定着装置６７等で構成されている。
【００１６】
スキャナ部７は、スキャナ筐体部２２の上面に設けられた矩形開口に装着された、例えばガラス等の透光性材料で形成された平板状の原稿台７１と、原稿台７１の内面に対向しつつ副走査方向に移動されるスキャンユニット７２と、スキャンユニット７２を副走査方向に往復移動させる駆動機構７３等で構成されている。駆動機構７３は、例えばモータ等によりベルト及びプーリを回動させることによりスキャンユニット７２を移動させるように構成されている。なお、駆動機構７３の構成はこれに限られるものではなく、リニアモータやその他の機構を用いたものであってもよい。
【００１７】
スキャンユニット７２は、いわゆるＣＩＳ(Contact Image Sensor)であり、主走査方向に沿って設けられた線状光源（図示せず）と、線状光源に平行に設けられた撮像装置（図示せず）とを有している。線状光源は、例えば複数のＬＥＤを主走査方向に配列したものであり、原稿台７１の主走査方向の全域を略均一な明るさで照明する。撮像装置は、微小レンズを主走査方向に配列したレンズアレイと、各レンズに対応して主走査方向に受光素子を配列した受光素子アレイで構成されている。各レンズは、原稿台７１の外面に焦点が合わされており、原稿台７１の外面に密着するように載置された原稿１０のうち、線状光源により照明された所定の範囲の像を各受光素子の受光面に結像し、各受光素子により所定の範囲の画像を撮像する。
【００１８】
排紙トレイ８は、プリンタ筐体部２１の前側で、かつスキャナ筐体部２２の下方に、かつ傾斜台３１の上方に形成された固定トレイ部８ａと、固定トレイ部８ａに支持され固定トレイ部８ａ前方に引き出し及び収納自在に設けられた引き出しトレイ部８ｂで構成されている。これにより、排紙トレイ８の上方において引き出しトレイ部８ｂの収納及び引き出し動作に伴うスペースの確保が不要であり、排紙トレイ８の上方にスキャナ部７を配置する際に、スキャナ部７を排紙トレイ８に近接させて設置することができ、画像形成装置１の高さを低くすることができる。
【００１９】
引き出しトレイ部８ｂは、該引き出しトレイ部８ｂが引き出された状態において回動自在とされている。これにより、開閉カバー４を上方に開ける際に、引き出しトレイ部８ｂを開閉カバー４に接触させないことが可能である。したがって、引き出しトレイ部８ｂに載置された記録紙を取り除き、引き出しトレイ部８ｂを収納する必要がなく、開閉カバー４の動作に支障をきたさない。
【００２０】
引き出しトレイ部８ｂの両側面には、図３（ａ）（ｂ）（ｃ）に示すように、引き出し方向の上流側に円柱状突起８１と、引き出しトレイ部８ｂの両側部の下面と略平行に伸びる矩形状リブ８２が形成されている。固定トレイ部８ａには、図３（ａ）（ｃ）に示すように、円柱状突起８１が係合する長穴状の第１のガイド溝２４と、第１のガイド溝２４の下方に第１のガイド溝２４の両側部と略平行に伸びる、矩形状リブ８２が係合する第２のガイド溝２５が形成される。第２のガイド溝２５は、第１のガイド溝２４から引き出し方向に延長され、延長された部分が上方に開口され、引き出し方向の下流側に貫通される。矩形状リブ８２は、引き出しトレイ部８ｂの引き出し方向の下流側の端面から、引き出しトレイ部８ｂが引き出されて円柱状突起８１が第１のガイド溝２４の端部に当接した位置において上方に第２のガイド溝２５に支持されなく位置まで形成される。
【００２１】
上記のように構成された本実施形態の引き出しトレイ部８ｂの動作について説明する。図４（ａ）に示すように、引き出しトレイ部８ｂを固定トレイ部８ａに最も奥まで差し込んだ状態、すなわち引き出しトレイ部８ｂを固定トレイ部８ａの下方に収納した状態では、円柱状突起８１及び矩形状リブ８２は第１のガイド溝２４及び第２のガイド溝２５それぞれに保持されている。この状態から、引き出しトレイ部８ｂを引き出していくと、円柱状突起８１及び矩形状リブ８２が第１のガイド溝２４及び第２のガイド溝２５それぞれに沿って摺動する。この状態から、図４（ｂ）に示すように、引き出しトレイ部８ｂを最も引き出した状態、すなわち、円柱状突起８１が第１のガイド溝２４の端部に当接した状態では、矩形状リブ８２が上方に第２のガイド溝２５に支持されなくなり、引き出しトレイ部８ｂは円柱状突起８１を中心に上方に回転自在とされる。この状態から、図４（ｃ）に示すように、開閉カバー４を上方に開いたとすると、開閉カバー４が引き出しトレイ部８ｂに干渉する。そして、開閉カバー４の回転に伴って引き出しトレイ部８ｂも上方に回転する。そのため、記録紙詰まりやトナー交換等の際に、ユーザーが事前に引き出しトレイ部８ｂを収納又は上方に回転させておかなくても、開閉カバー４をスムーズに開くことができる。その結果、画像形成装置の高さを低くしたとしても、開閉カバー４の開口面積を一定以上に確保することができ、プリンタ筐体部２１の内部へのアクセスを容易にすることができる。
【００２２】
なお、本発明は、上記実施形態の構成に限定されるものではなく、発明の趣旨を変更しない範囲で種々の変形が可能である。例えば、矩形状リブ８２を円柱状突起８１の上方に配置し、これに対応して矩形状リブ８２に係合する第２のガイド溝２５を第１のガイド溝２４の上方に配置するものであってもよい。
【図面の簡単な説明】
【００２３】
【図１】本発明の一実施形態に係る画像形成装置の一例を示す斜視図。
【図２】同画像形成装置を示す側断面図。
【図３】（ａ）は同画像形成装置の排紙トレイを示す斜視図、（ｂ）は同排紙トレイの引き出しトレイ部を示す斜視図、（ｃ）は図３（ａ）に示す状態のＡ−Ａ線の断面図。
【図４】(ａ)は同引き出しトレイ部が同排紙トレイの固定トレイ部の下方に収納された状態での側断面図、（ｂ）は同引き出しトレイ部が同固定トレイ部から引き出された状態での側断面図、（ｃ）は同引き出しトレイ部が同固定トレイ部から引き出され、上方に回動された状態での側断面図。
【符号の説明】
【００２４】
１  画像形成装置
２  筐体
３  給紙トレイ
４  開閉カバー
５  記録紙搬送機構
６  画像形成部
７  スキャナ部
８  排紙トレイ
８ａ  固定トレイ部
８ｂ  引き出しトレイ部
９  記録紙
１０  原稿
２１  プリンタ筐体部
２２  スキャナ筐体部
２３  排紙口
２４  第１のガイド溝
２５  第２のガイド溝
３１  傾斜台
５１  ピックアップローラ
５２  搬送ローラ
５３  記録紙ガイド
６１  感光体ドラム
６２  帯電器
６３  露光装置
６４  現像装置
６５  転写ローラ
６６  クリーナ
６７  定着装置
７１  原稿台
７２  スキャンユニット
７３  駆動機構
８１  円柱状突起
８２  矩形状リブ
【図１】
2008133112.tif 000003
【図２】
2008133112.tif 000004
【図３】
2008133112.tif 000005
【図４】
2008133112.tif 000006